(57)【要約】【課題】ロール紙繰り出し容器における紙切り蓋板に帯状刄板を実装し易くすると共に、刄板刃先を櫛歯状弾性刃先とすることで、手指に優しく安全かつ、確実にロール紙やロール巻フィルムをカット可能にすること。【解決手段】上部開放の容器１内に収納したロール紙２の上から容器開口縁１Ｂに後部枢支の紙切り蓋板３を被せ、その前辺下面３Ａと容器前辺１Ａとでロール紙繰り出し部分２Ａを弾圧し、この繰り出し部分を紙切り蓋板の前辺刃先で切断可能となしたロール紙繰り出し容器を構成するに当たり、前記紙切り蓋板３の前辺３Ｂに側端開放の前端開溝３Ｃと、この開溝３Ｃに連通した後部膨大溝３Ｄとを削設し、この膨大溝３Ｄ内にその開放側端から帯状刄板４の膨出後辺４Ａを挿入し、前記刄板４の櫛歯状弾性刃先４Ｂを前記蓋板前辺３Ｂから満遍なく突出定位した状態で、蓋板前辺３Ｂに対する帯状刄板４の抜け止めを施こした。【選択図】      図１
2005046244.tif 000002
【特許請求の範囲】
【請求項１】
上部開放の容器内に収納したロール紙の上から容器開口縁に後部枢支の紙切り蓋板を被せ、その前辺下面と容器前辺とでロール紙繰り出し部分を弾圧し、この繰り出し部分を外力により紙切り蓋板の前辺刃先で切断可能となしたロール紙繰り出し容器において、前記紙切り蓋板の前辺に削設した溝内に、この溝に対応した形状の帯状刄板の後辺を挿入し、この刄板の櫛歯状弾性刃先を前記紙切り蓋板前辺から露出定位した状態で、紙切り蓋板前辺に対する前記帯状刄板の抜け止めを施こしたロール紙繰り出し容器における紙切り蓋板。
【請求項２】
上部開放の容器１内に収納したロール紙２の上から容器開口縁１Ｂに後部枢支の紙切り蓋板３を被せ、その前辺下面３Ａと容器前辺１Ａとでロール紙繰り出し部分２Ａを弾圧し、この繰り出し部分を外力で紙切り蓋板の前辺刃先で切断可能となしたロール紙繰り出し容器において、前記紙切り蓋板３の前辺３Ｂに側端開放の前端開溝３Ｃと、この開溝３Ｃに連通した後部膨大溝３Ｄとを削設し、この膨大溝３Ｄ内にその開放側端から前記各溝に対応した形状の帯状刄板４の膨出後辺４Ａを挿入し、前記刄板４の櫛歯状弾性刃先４Ｂを前記蓋板前辺３Ｂから満遍なく突出定位した状態で、蓋板前辺３Ｂに対する帯状刄板４の抜け止めを施こしてなるロール紙繰り出し容器における紙切り蓋板。
【請求項３】
前記後部膨大溝３Ｄに帯状刄板４の抜け止め突部４Ｃを圧入することで、紙切り蓋板前辺３Ｂに対する帯状刄板４の抜け止めを施こしてなる請求項１または請求項２に記載のロール紙繰り出し容器における紙切り蓋板。
【請求項４】
前記紙切り蓋板３の前辺３Ｂを弯曲形成し、この弯曲前辺３Ｂに形成した前端開溝３Ｃと後部膨大溝３Ｄ内に、これら各溝に対応した形状の帯状弯曲刄板４を挿入し、その櫛歯状弾性刃先４Ｂを紙切り蓋板３の弯曲前辺３Ｂから満遍なく露出配置して抜け止めを施こしてなる請求項１から請求項３までのいずれか一つの請求項に記載のロール紙繰り出し容器における紙切り蓋板。
【請求項５】
前記紙切り蓋板３の自己重力でその前辺下面３Ａを容器前辺１Ａにロール紙繰り出し部分２Ａを挟み弾圧可能に配設してなる請求項１から請求項４までに記載のロール紙繰り出し容器における紙切り蓋板。
【請求項６】
前記容器１の後面板１Ｃに前記紙切り蓋板後縁３１に係合する閉蓋弾圧弾片６を突設し、この弾片６の前記紙切り蓋板後縁３１に対する上向き弾撥力により、紙切り蓋板３の枢支部３０を経た蓋板前辺下面３Ａを容器前辺１Ａにロール紙２を千切らずに繰り出せる程度に挟んで弾圧制動することで、容器内ロール紙の反転によるロール紙繰り出し部分２Ａの容器内引き込みを阻止してなる請求項１から請求項４までのいずれか一つの請求項に記載のロール紙繰り出し容器における紙切り蓋板。
【請求項７】
前記閉蓋弾圧弾片６を一体的に突設した弾性プラスチック製の弾片突設部材７をその係止鉤片７Ａで容器後面板１Ｃの係止孔縁１Ｄに係合させて係止定着した請求項６に記載のロール紙繰り出し容器における紙切り蓋板。
【請求項８】
前記紙切り蓋板３の前側端に突設した突片５の閉蓋ロック部５Ａをこれに対向する容器１の閉蓋ロック部５Ｂに前記突片５の弾力に抗し係合させることで、前記紙切り蓋板前辺刃先に加わる上向きのロール紙切断力による閉蓋紙切り蓋板３の浮上を阻止して前記弾圧閉蓋状態を維持可能となした請求項１から請求項７までのいずれか一つの請求項に記載のロール紙繰り出し容器における紙切り蓋板。
【請求項９】
前記紙切り蓋板３の開蓋保持部を前記容器１および紙切り蓋板３の各対向部分に具備してなる請求項１から請求項８までのいずれか一つの請求項に記載のロール紙繰り出し容器における紙切り蓋板。
【発明の詳細な説明】
【０００１】
【発明の属する技術分野】
この発明は、トイレットやキッチンとか、スーパーマーケットなどに備えたロール紙または、これに近似したロール巻フィルム類をカットして使用する際に用いて好適なロール紙繰り出し容器における紙切り蓋板の改良に関する。
【０００２】
【従来の技術】
ロール紙または、これに近似したロール巻フィルム類を保持するロール紙ホルダの紙切り蓋板としては、従来、特許第２７２２９０２号公報、特開平７−２４６５８８号公報および特開２００１−３００８８６号公報などにそれぞれ記載のように、薄肉の金属板や硬質プラスチック板の前辺に先端が鋭く尖った連続三角波形硬質刃先を有する刄板とか、特開２００２−５１９３５号公報に記載のように、ロール紙ケース内からシーソ式に出入りする薄肉の金属板や硬質プラスチック製の連続波形状の硬質刃先を有する紙切り蓋板がそれぞれ周知である。
【０００３】
【発明が解決しようとする課題】
これら各従来例のうち、前者三つの従来例は、いずれも薄肉の金属板や硬質プラスチック板の前辺に先端が鋭く尖った連続三角形状の硬質刃先を有する紙切り蓋板であるから、ロール紙やロール巻フィルムとかシート類を上記紙切り蓋板でカットするときのように、手指を上記紙切り蓋板の鋭く尖った連続三角形状の硬い刃先に近づけた際、手指が僅かでも上記の硬く尖った刃先に触れると指先を直ちに傷付けてしまう危険が有るという本質的かつ、大きな問題点が有る。
【０００４】
また、後者の特開２００２−５１９３５号公報のものでは、紙切り蓋板をロール紙繰り出し容器のスリットからシーソ式に出入りさせるものであるから、構造複雑・組み立て面倒でしかもコスト高で故障も多いという本質的な問題点が有るほかに、この従来例の刃先は硬く連続波形状であるが、いくら連続波形状であるからといっても、刃先は薄肉で鋭く硬いため、依然としてこの刃先に手指が触れると指先を負傷する危険が有るという本質的かつ、大きな問題点が有る。
さらに、従来一般的な紙切り蓋板の前辺に対する帯状刄板の実装手段としては、紙切り蓋板内面に配置した刄板を当て板でサンドイッチ式に挟み込み、この当て板余白部分を紙切り蓋板内面に超音波溶着する刄板実装手段や、紙切り蓋板内面に配置した刄板の孔から突出した紙切り蓋板内面突起の押し潰し実装とか、ねじ止め実装などの作業性が悪い刄板実装手段が従来周知であるが、これではその組立製造・部品管理・保守点検などのすべての面で扱い辛く不便で面倒であるという本質的かつ、大きな問題点も有る。
【０００５】
この発明は、ロール紙繰り出し容器における紙切り蓋板に刄板を実装し易くすると共に、刄板刃先を櫛歯状弾性刃先とすることで、手指に優しく安全かつ、確実にロール紙やロール巻フィルムをカット可能にすることを目的とする。
【０００６】
【課題を解決するための手段】
上記した本発明の目的は、上部開放の容器内に収納したロール紙の上から容器開口縁に後部枢支の紙切り蓋板を被せ、その前辺下面と容器前辺とでロール紙繰り出し部分を弾圧し、この繰り出し部分を外力により紙切り蓋板の前辺刃先で切断可能となしたロール紙繰り出し容器を構成するに当たり、前記紙切り蓋板の前辺に削設した溝内に、この溝に対応した形状の帯状刄板の後辺を挿入し、この刄板の櫛歯状弾性刃先を前記紙切り蓋板前辺から露出定位した状態で、紙切り蓋板前辺に対する前記帯状刄板の抜け止めを施こしたことで達成できた。
【０００７】
【発明の実施の形態】
本発明の実施の形態例について図面を参照して説明する。
この発明の基本的な実施形態の一例としては、図１のようにトイレの壁面などに定着設置して使用する金属やプラスチックなどで側面ほぼ円形に作った上部開放の容器１内に、芯管２Ｃに巻装したロール紙２または芯管無しのロール紙２を図２のように例えば投げ込み式に収納し、その繰り出し部分２Ａ（摘まみ代２Ｂ）を図２のように手前に繰り出し定位すると共に、その上から容器開口縁１Ｂに金属やプラスチックなどで側面ほぼ弧形に作った紙切り蓋板３をその自己重力で後部左右に設けた周知の枢支部３０を支点として図２および図３のように被せ、上記自己重力により蓋板前辺下面３Ａと容器前辺１Ａとでロール紙繰り出し部分２Ａを弾圧し、この繰り出し部分２Ａを紙切り蓋板前辺刃先で図２のように切断可能となしたロール紙繰り出し容器をを構成するに当たり、本発明では先ず、図１のように前記紙切り蓋板３の前辺３Ｂに側端開放の前端開溝３Ｃと、この開溝３Ｃに連通した後部膨大溝３Ｄとを削設する。
【０００８】
次いで、ポリエステル・エラストマや硬質合成ゴムなどの手指に優しく柔軟で表面摩擦が大きい可撓弾性素材で成形した図１のような帯状刄板４に膨出後辺４Ａとこれに連接した櫛歯状弾性刃先４Ｂとを一体的に射出成形し、帯状刄板４の膨出後辺４Ａを蓋板前辺３Ｂの後部膨大溝３Ｄ内にその開放側端から図１の矢示方向に平行移動させ、上記櫛歯状弾性刃先４Ｂを前記紙切り蓋板前辺３Ｂの前端開溝３Ｃから突出させつつ、図２・図４のようにうに満遍なく挿入埋設した後、紙切り蓋板前辺３Ｂに対し帯状刄板４の抜け止めを施こすことで、上記各図のような本発明によるロール紙繰り出し容器における紙切り蓋板を構成できた。
ただし、前記帯状刄板４の抜け止め手段としては、前記後部膨大溝３Ｄの内面に対して帯状刄板４を圧入したり、接着することで抜け止めを施こしてもよく、また図５のように前記帯状刄板４の側端付近に突設した抜け止め突起４Ｄや膨出側端４Ｅなどの抜け止め突部４Ｃをその弾力に抗し後部膨大溝３Ｄに図４のように圧入しても紙切り蓋板前辺３Ｂに対する帯状刄板４の抜け止めを施こせる。
【０００９】
本発明の基本構成は以上のようなもので、以下その動作例につき説明する。
先ず、ロール紙繰り出し容器１内にロール紙２を図２・図３のように回転可能に収納した後、ロール紙２を予じめ手前に所望長さだけ引き出して最初の繰り出し部２Ａを作っておき、その後紙切り蓋板３を上記各図のように閉じると、ロール紙２の上部前寄り外周面に前記紙切り蓋板３の前辺下面３Ａが自己重力で図３のように圧接してロール紙２の使用状態となり、上記繰り出し部２Ａを図２の鎖線のように櫛歯状弾性刃先４Ｂに沿わせて上向き斜めに引っ張り上げることで、前記紙切り蓋板３を自己重力で圧接固定したまま、この繰り出し部２Ａをそのカット部分Ｑで前記櫛歯状弾性刃先４Ｂにより次々にカットして使用できる。
【００１０】
なお、上記ロール紙繰り出し部２Ａをカットするに要する時間は、一秒程度の極く短時間であるが、このロール紙カット時などに前記櫛歯状弾性刃先４Ｂに手指が触れたとしても、これら多数の刃先４Ｂは、前記のように手指に優しいポリエステル・エラストマなどの柔軟で表面摩擦が大きい可撓弾性プラスチックで射出成形した弾性刃先４Ｂであるから、手指を少しも傷つけることなくロール紙に対する良好な切れ味を保つことができ、上記カット部分Ｑを前記櫛歯状弾性刃先４Ｂで次々と確実軽快にカットし終えることができた。
【００１１】
此処で、前記櫛歯状弾性刃先４Ｂにより、ロール紙繰り出し部２Ａをそのカット部分Ｑで前記のように軽快にカットできる理由を以下詳細に吟味する。
前記櫛歯状弾性刃先４Ｂによる上記ロール紙２のカット時に、多数の各弾性刃先４Ｂには、それぞれ上記ロール紙カット部分Ｑによる上向き斜めのロール紙２の引っ張り力が次々に加わり、この引っ張り力により表面摩擦が大きい多数の各弾性刃先４Ｂは、上記カット部分Ｑに対して滑ることなく次々にその可撓弾力に抗し、上向き斜めに僅少寸法だけ次々に撓み動きながら前記カット部分Ｑをカットし始めた直後、各弾性刃先４Ｂから上記カット部分Ｑの切断途中部分が次々に通過しようとする瞬間に、これら多数の各弾性刃先４Ｂは、その可撓弾性復帰力で次々に原状復帰しようとするため、これら各弾性刃先４Ｂの復帰瞬発力が上記と同様に滑ることなくダイレクトに前記引っ張り力と共に上記ロール紙切断途中部分に次々と強く加わり、ロール紙をカットできるものと推測でき、刃先４Ｂが手指に優しい櫛歯状弾性刃先であっても、ロール紙２に対する切れ味を損なうことなく、しかも手指に傷つけることなくロール紙やロール巻フィルムのカット部分Ｑを次々と確実軽快にカットできた。
【００１２】
このようにして、ロール紙２を使い終えたときに新しいロール紙を容器１内に収納セットするには、前記紙切り蓋板３をその枢支部３０を支点とし、上向き回動させてロール紙繰り出し容器をオープン状態とし、使用済のロール紙芯管２Ｃを容器内から取り出した後、新しい芯管付きロール紙２または芯管無しのロール紙２を前記のように容器１内に収納セットすることができ、その後紙切り蓋板３をロール紙２の上部に前述したように被せることで、図３のような次回の使用形態を採ることができる。
【００１３】
次に、軽い紙切り蓋板３を用いても、その自己重力に関係なく前記蓋板前辺下面３Ａと容器前辺１Ａとでロール紙繰り出し部分２Ａをより一層安定に弾圧できる本発明の第二の実施形態例を以下詳細に説明する。
この第二の実施形態例では、先ず前記各図に示す容器１の後面板１Ｃに前記紙切り蓋板枢支部３０を経た紙切り蓋板後縁３１に上記各図のように係合してこれを手前斜め上向きに弾撥する前下がり斜面６Ａ付きの閉蓋弾圧弾片６を一体成形した強弾性プラスチック製などの弾片突設部材７を図６のように用意する。
【００１４】
そして、前記弾片突設部材７に突設した係止鉤片７Ａを図６矢示のように容器後面板１Ｃの係止孔縁１Ｄに鉤片固有弾力に抗して係入後、この係止孔縁１Ｄに前記係止鉤片７Ａをその弾力により、パチンと復帰させて係合させることで、容器後面板１Ｃに前記弾片突設部材７を図１・図７のように定着することで、前記閉蓋弾圧弾片６を前記各図のように容器１の後面板１Ｃに前向きに突設する。
したがって、上記弾片６の前下がり斜面６Ａまたは手前斜め上に弾撥するようにした弾片６自体による前記蓋板後縁３１に対する上向き弾撥力で、テコ作用により蓋板前辺下面３Ａ（または縦リブ３Ｅ）を繰り出し途中のロール紙２が千切れない程度に容器前辺１Ａに弾圧でき、蓋板前辺３Ｂに上向きに加わるロール紙切断力では紙切り蓋板３が軽くても、この蓋板３の浮上を阻止してロール紙やロール巻フィルムのカット部分Ｑを次々と確実にカットできると共に、切断後の容器内ロール紙反転による容器外ロール紙繰り出し部分２Ａ（摘まみ代２Ｂ）の容器内引き込みを阻止でき、快適に使用できるようになった。
【００１５】
前記弾圧閉蓋状態にある紙切り蓋板３をダメ押し的に閉蓋維持するために、本発明の第三の実施形態例では、図３のように紙切り蓋板３の前側端に下向きの突片５を突設し、前記突片５の外面に図８のように形成した斜面付き突起（または単なる突起や凹所とか孔）などの閉蓋ロック部５Ａを前記容器１の前側端内面に同図８のように形成した斜面付き突起（または凹所や孔とか単なる突起）などの閉蓋ロック部５Ｂに紙切り蓋板閉蓋時に同図８矢示の順序で各閉蓋ロック部５Ａ・５Ｂ同士を前記突片５の弾力に抗してパチンと係合させることで、上記弾圧閉蓋状態をダメ押し的に維持できるようにすることもでき、閉じた紙切り蓋板３にロール紙切断による上向きのロール紙切断力が加わっても、前記紙切り蓋板３を押さえずにその前辺刃先でロール紙繰り出し部分２Ａを上記図２のように片手で無造作に切断できる本発明第三の実施形態例による閉蓋ロック付きロール紙繰り出し容器も構成できる。
【００１６】
ただし、各閉蓋ロック部５Ａ・５Ｂ同士の弾接係合ポイントは、使用ロール紙２の紙質や厚みの多様性を考慮し、前記弾圧閉蓋状態にある紙切り蓋板３が前記閉蓋弾圧弾片６の弾撥力に抗して上向きに約１ｍｍ程度持ち上がるように若干のアロワンスを持たせて各閉蓋ロック部５Ａ・５Ｂの突設箇所を位置決めする。
また、上記各閉蓋ロック部５Ａ・５Ｂ同士の係合強度は、前記弾圧閉蓋状態を維持して二枚合わせのロール紙２や厚手のロール紙２を紙切り蓋板３の前辺刃先で切断する時のように、閉蓋状態にある紙切り蓋板３にやや強い上向きのロール紙切断力が加わっても、紙切り蓋板３が図２のように妄りに浮上せず、かつ、紙切り蓋板３を所望時に手指などでは開蓋できる程度の強度に設定する。
【００１７】
【実施例】
前記櫛歯状弾性刃先４Ｂの紙切り蓋板前辺３Ｂに対する出面寸法は、２〜７ｍｍ程度とし、この範囲内で多数の各弾性刃先４Ｂを互いに同寸、または所定本数毎に異寸の出面寸法とし、また各弾性刃先４Ｂの太さは、０．５〜３ｍｍ程度とし、各刃先４Ｂの突設ピッチは、０．５〜２ｍｍ程度が好ましい。
また、前記紙切り蓋板３の前辺３Ｂを弯曲形成し、この弯曲前辺３Ｂに形成した後部膨大溝３Ｄ内に、この溝に対応した形状の帯状弯曲刄板４の膨出後辺４Ａを挿入し、その櫛歯状弾性刃先４Ｂを前記弯曲した前辺３Ｂから満遍なく露出配置して抜け止めを施こした紙切り蓋板３を用いてもよい。
【００１８】
さらに、前記櫛歯状弾性刃先４Ｂを上下に齟齬させて突設することで、これら各刃先の前記撓み復帰瞬発力を僅少寸法だけ上下に振り分けてロール紙切断途中部分に次々と加えることができ、手指には優しく、ロール紙に対しては、より一層鋭い切れ味を得ることができた。
本発明第二の実施形態例における閉蓋弾圧弾片６の突設手段は、前記の突設手段以外に例えば上記突片６をゼンマイ鋼などの強弾性材で作り、これを容器後面板１Ｃの内面にねじ止めとかインサート成形などの固定手段で突設してもよく、また、上記突片６を例えばプラスチック容器１の成形時に容器後面板１Ｃに一体的に成形したり、閉蓋弾圧弾片６を強弾性プラスチック材により容器１の成形時に同一金型内で所謂二色一体成形して突設してもよく、さらに上記突片６を一体突設した弾片突設部材７は、容器後面板１Ｃにねじ止めや接着などで定着することで、上記突片６を容器後面板１Ｃに突設してもよい。また、紙切り蓋板３の前部における例えば両側に突設した突片５でロール紙２の両側を繰り出し案内することもできる。
【００１９】
なお、前述した開蓋状態にある紙切り蓋板３が妄りに倒れないようにするには、紙切り蓋板３の開蓋状態を保持するための凹凸係合による開蓋保持部を前記容器１および紙切り蓋板３の各対向部分に具備することで可能となった。
また、前記容器１と紙切り蓋板３との側面形状をそれぞれほぼ円形およびほぼ弧形とすることで、より一層小型軽量かつ、スマートなロール紙繰り出し容器となるし、さらに前記紙切り蓋板３の前辺下面３Ａに前記ロール紙２の周方向に沿わせて複数の縦リブ３Ｅを並列突設することで、ロール紙２の繰り出し部分２Ａの弾圧部分がスポット的に分散するため、ロール紙２の繰り出し案内のスムース化と、その千切れ防止とがそれぞれ一層確実になった。
【００２０】
【発明の効果】
本発明は、以上のような形態を採用したので、以下に記載の効果を奏する。
本発明における請求項１の発明によれば、前記紙切り蓋板３の前辺３Ｂに削設した溝内に、この溝に対応した形状の帯状刄板４を挿入すると共に、この刄板の櫛歯状弾性刃先４Ｂを前記紙切り蓋板前辺３Ｂから満遍なく露出定位した状態で、紙切り蓋板前辺３Ｂに対する前記帯状刄板４の抜け止めを施こすことで、紙切り蓋板前辺３Ｂに櫛歯状弾性刃先４Ｂを有する刄板４を実装できたので、前述したような従来一般的な紙切り蓋板前辺に対する帯状刄板の実装作業、すなわち刄板の当て板サンドイッチ式超音波溶着実装作業や、紙切り蓋板内面突起の押し潰し実装とか、ねじ止め実装などの面倒で作業性が悪い刄板実装作業が本発明では一切不要となり、その組立製造・部品管理・保守点検などのすべての面で扱い易く、価格の低減も実現できたという優れた効果が有る。
【００２１】
また、前記請求項１の発明によれば、前記刃先４Ｂがそれぞれ手指に優しい櫛歯状弾性刃先であっても、ロール紙２やロール巻フィルムとかシート状物に対する切れ味を前述したように損なうことなく、前記カット部分Ｑを連続して確実軽快にカットできるし、上記弾性刃先４Ｂに手指が触れたとしても、この刃先は手指に優しい弾性刃先４Ｂであるから、指先を傷付けることなく安全かつ、確実軽快にロール紙やロール巻フィルムとかシート類をその所望部分からカットできたという優れた効果も有る。
【００２２】
本発明における請求項２の発明によれば、前記紙切り蓋板３の前辺３Ｂに側端開放の前端開溝３Ｃと、この開溝３Ｃに連通した後部膨大溝３Ｄとを削設し、この膨大溝３Ｄ内にその開放側端から前記各溝に対応した形状の帯状刄板４の膨出後辺４Ａを挿入し、前記刄板４の櫛歯状弾性刃先４Ｂを前記蓋板前辺３Ｂから満遍なく突出定位した状態で、蓋板前辺３Ｂに対する帯状刄板４の抜け止めを施こすだけで紙切り蓋板前辺３Ｂに帯状刄板４を実装できたので、蓋板前辺３Ｂに対する帯状刄板４の抜け止め実装作業を大幅に簡素化でき、前述したような従来一般的な面倒で作業性が悪い刄板実装作業が、本発明では一切不要となり、その組立製造・部品管理・保守点検などのすべての面で、より一層扱い易く、価格の低減も実現できたという優れた効果が有る。
【００２３】
また、本発明における請求項３の発明のように、前記帯状刄板４の抜け止め手段として、帯状刄板４の側端付近に突設した抜け止め突部４Ｃをその固有弾力に抗し前記後部膨大溝３Ｄの内面に圧入して抜け止めを施こせば、紙切り蓋板前辺３Ｂに対する帯状刄板４の実装作業性が一層容易となるし、また請求項４の発明のように、櫛歯状弾性刃先４Ｂ全体の櫛歯輪郭形状を例えば弯凸櫛歯状や弯凹櫛歯状など種々の刃先輪郭形状にすれば、ロール紙２やロール巻フィルムとかシート類の厚さや、その種類・大きさに応じた刃先輪郭形状の櫛歯状弾性刃先４Ｂを採用でき、その切れ味を木目細かく選定できた。
【００２４】
さらに、本発明における請求項５の発明のように、前記紙切り蓋板３をその自己重力で前記ロール紙２の上部前寄り外周面に弾圧可能に配設すれば、蓋板弾圧用のばね部材が不要となり、この分だけロール紙繰り出し容器を安価に多量製造でき、また、本発明における請求項６の発明によれば、前記容器１の後面板１Ｃに前記蓋板後縁３１に係合する閉蓋弾圧弾片６を突設し、前記蓋板後縁３１に対する弾片６の上向き弾撥力により、軽い紙切り蓋板３を用いても、その枢支部３０を経た蓋板前辺下面３Ａをテコ作用で容器前辺１Ａにロール紙２を挟み弾圧定位したまま、その繰り出し部２Ａを前記櫛歯状弾性刃先４Ｂにより次々にカットして使用できると共に、容器内ロール紙の反転によるロール紙繰り出し部分２Ａの容器内引き込みを阻止でき、しかもロール紙繰り出し容器全体としての重量を軽減でき、その組立製造・部品管理・販売・使用・保守点検などのすべての面で扱い易く、価格的にも有利になったという効果を付加できた。
【００２５】
また、本発明における請求項７の発明のように、前記閉蓋弾圧弾片６を一体的に突設した弾性プラスチック製の弾片突設部材７をその係止鉤片７Ａで容器後面板１Ｃの係止孔縁１Ｄに係合させて係止定着すれば、容器後面板１Ｃに対する閉蓋弾圧弾片６の取り付け作業性を一段と高め得るし、前記請求項８の発明のように前記紙切り蓋板３の前側端に突設した突片５の閉蓋ロック部５Ａをこれに対向する容器１の閉蓋ロック部５Ｂに前記突片５の弾力に抗し係合させ、前記紙切り蓋板前辺刃先に加わる上向きのロール紙切断力による閉蓋紙切り蓋板３の浮上をダメ押し的に阻止できるようにすれば、紙切り蓋板３を妄りに浮上させずにロール紙２を無造作に切断でき、さらに前記請求項９の発明のように、前記紙切り蓋板３の開蓋状態を確保するための開蓋保持部を前記容器１および紙切り蓋板３の各対向部分に具備すれば、開蓋状態にある紙切り蓋板３は妄りに倒れず、より一層安全となる。
【図面の簡単な説明】
【図１】本発明の実施形態の一例を示す要部分解斜視図
【図２】図１に示すものの使用状態を示す斜視図
【図３】図２に示すものの縦断側面図
【図４】本発明による紙切り蓋板の刄板実装例を示す要部拡大縦断側面図
【図５】本発明による刄板抜け止め突部の裏側を示す部分斜視図
【図６】本発明における閉蓋弾圧弾片の実装途中例を示す要部切欠斜視図
【図７】本発明における紙切り蓋板と閉蓋弾圧弾片との関係を示す要部拡大断面図
【図８】本発明における閉蓋ロック部同士の係合関係を示す要部拡大断面図
【符号の説明】
１    ロール紙繰り出し収納容器
１Ａ  容器前辺
１Ｂ  容器開口縁
１Ｃ  容器後面板
１Ｄ  容器後面板の係止孔縁
２    ロール紙
２Ａ  ロール紙繰り出し部分
２Ｂ  ロール紙摘まみ代
Ｑ    ロール紙のカット部分
３    紙切り蓋板
３Ａ  蓋板前辺下面
３Ｂ  蓋板前辺
３Ｃ  蓋板前端開溝
３Ｄ  蓋板前辺の後部膨大溝
３０  蓋板後側枢支部
３１  蓋板後縁
４    帯状刄板
４Ａ  刄板の膨出後辺
４Ｂ  刄板の櫛歯状弾性刃先
４Ｃ  刄板の抜け止め突部
５    紙切り蓋板の側端突片
５Ａ・５Ｂ  閉蓋ロック部（凹凸係合部）
６    閉蓋弾圧弾片
６Ａ  閉蓋弾圧弾片の前下がり斜面
７    弾片突設部材
７Ａ  弾片突設部材の係止鉤片
【図１】
2005046244.tif 000003
【図２】
2005046244.tif 000004
【図３】
2005046244.tif 000005
【図４】
2005046244.tif 000006
【図５】
2005046244.tif 000007
【図６】
2005046244.tif 000008
【図７】
2005046244.tif 000009
【図８】
2005046244.tif 000010